(57)【要約】【課題】高い装飾性を備えた陶磁器製装飾体を提供する。【解決手段】本考案の陶磁器製装飾体１は、光源の光が透過可能な厚みの薄い肉薄部５を少なくとも一部に有している。このため、光源の光は、該肉薄部５を介して透過される。この結果、光源の光の光度が肉薄部５を透過する際に低減され、やわらかな光として外部へ発散される。また、表面及び裏面の少なくとも一部に図柄４が施されているため、図柄４部分の少なくとも一部又は図柄４部分の周囲を肉薄部５とすることによって、光の透過する肉薄部５が他の部位と比べて明るくなるため、図柄４が浮き上がるような印象を与えることができる。【選択図】  図１
0003121389.tif 000002
【実用新案登録請求の範囲】
【請求項１】
表面及び裏面の少なくとも一面に図柄が施された陶磁器製装飾体であって、
少なくとも一部に、厚みの薄い肉薄部が形成され、該肉薄部が透光性を有しており、
光源の前面又は周囲に配置されることにより、前記肉薄部を介して前記光源の光が透過されることを特徴とする陶磁器製装飾体。
【請求項２】
前記肉薄部が、図柄が施された部分又はその周囲に形成されていることを特徴とする請求項１記載の陶磁器製装飾体。
【請求項３】
前記肉薄部の平均厚みが、他の部位の平均厚みの１／２〜１／５であることを特徴とする請求項１又は２記載の陶磁器製装飾体。
【請求項４】
壁部に配置した光源の前面に位置するように取り付けられ、壁掛け用の装飾体として用いられることを特徴とする請求項１〜３のいずれか１に記載の陶磁器製装飾体。
【請求項５】
少なくとも周縁部が凹凸形状に形成されたおり、該凹凸形状の部位と壁部との隙間から光が外部に漏れ出る構成であることを特徴とする請求項４記載の陶磁器製装飾体。
【請求項６】
照明器具用のシェードとして用いられることを特徴とする請求項１〜３のいずれか１に記載の陶磁器製装飾体。
【請求項７】
光源と、該光源の前面又は周囲に配置されるシェードとを備えた照明器具であって、
前記シェードは、表面及び裏面の少なくとも一面に図柄が施された陶磁器からなると共に、少なくとも一部に、厚みの薄い肉薄部が形成され、該肉薄部が透光性を有し、前記肉薄部を介して前記光源の光が透過される構成であることを特徴とする照明器具。
【請求項８】
前記シェードは、その肉薄部の平均厚みが、他の部位の平均厚みの１／２〜１／５であることを特徴とする請求項７記載の照明器具。
【考案の詳細な説明】
【技術分野】
【０００１】
本考案は、陶磁器製装飾体及びそれを用いた照明器具に関する。
【背景技術】
【０００２】
特許文献１には、陶磁器製の照明器具用シェードが開示されている。これは、シェードを陶磁器から形成することにより、布製や和紙等のシェードと比較して長期使用による変形や変色が生じにくくすることを考慮して提案されたものである。また、光を外部へ届かせると共に、装飾性を考慮し、いわゆる透かし彫りによる開口部を形成した構造としている。
【特許文献１】実用新案登録第３１１６１９６号公報
【考案の開示】
【考案が解決しようとする課題】
【０００３】
特許文献１に記載のものは、透かし彫りによる開口部を所定以上の割合で形成することにより、光源の光が外部に所定の範囲に亘って届くように配慮されている。このため、この構造では、光は、開口部を介して直接外部に発散されるしかなく、開口部以外の部分では光は遮られてしまう。従って、布製や和紙等のシェードのように、光がシェード自身の厚み方向に透過し、やわらかな光として外部に発散されるような趣を呈することはできない。特許文献１では、開口部に和紙等を取り付けても良い旨が記載されているが、そのような構造とした場合には、和紙等を用いた際の長期使用による変形や変色を防止するという特許文献１において掲げた目的と矛盾するし、また、構造が複雑になる。
【０００４】
本考案は上記の点に鑑みなされたもので、陶磁器製でありながら、布や和紙等を用いることなく、光源の光を厚み方向に透過させて光度を低減させ、やわらかな光として外部に発散でき、しかも、表面又は裏面に施された図柄を光源の点灯によって引き立たせることができる、高い装飾性を備えた陶磁器製装飾体及びそれを用いた照明器具を提供することを課題とする。
保持具に関する。
【課題を解決するための手段】
【０００５】
上記課題を解決するため、請求項１記載の本考案では、表面及び裏面の少なくとも一面に図柄が施された陶磁器製装飾体であって、
少なくとも一部に、厚みの薄い肉薄部が形成され、該肉薄部が透光性を有しており、
光源の前面又は周囲に配置されることにより、前記肉薄部を介して前記光源の光が透過されることを特徴とする陶磁器製装飾体を提供する。
請求項２記載の本考案では、前記肉薄部が、図柄が施された部分又はその周囲に形成されていることを特徴とする請求項１記載の陶磁器製装飾体を提供する。
請求項３記載の本考案では、前記肉薄部の平均厚みが、他の部位の平均厚みの１／２〜１／５であることを特徴とする請求項１又は２記載の陶磁器製装飾体を提供する。
請求項４記載の本考案では、壁部に配置した光源の前面に位置するように取り付けられ、壁掛け用の装飾体として用いられることを特徴とする請求項１〜３のいずれか１に記載の陶磁器製装飾体を提供する。
請求項５記載の本考案では、少なくとも周縁部が凹凸形状に形成されたおり、該凹凸形状の部位と壁部との隙間から光が外部に漏れ出る構成であることを特徴とする請求項４記載の陶磁器製装飾体を提供する。
請求項６記載の本考案では、照明器具用のシェードとして用いられることを特徴とする請求項１〜３のいずれか１に記載の陶磁器製装飾体を提供する。
請求項７記載の本考案では、光源と、該光源の前面又は周囲に配置されるシェードとを備えた照明器具であって、
前記シェードは、表面及び裏面の少なくとも一面に図柄が施された陶磁器からなると共に、少なくとも一部に、厚みの薄い肉薄部が形成され、該肉薄部が透光性を有し、前記肉薄部を介して前記光源の光が透過される構成であることを特徴とする照明器具を提供する。
請求項８記載の本考案では、前記シェードは、その肉薄部の平均厚みが、他の部位の平均厚みの１／２〜１／５であることを特徴とする請求項７記載の照明器具を提供する。
【考案の効果】
【０００６】
本考案によれば、光源の光が透過可能な厚みの薄い肉薄部を少なくとも一部に有している。このため、光源の光は、該肉薄部を介して透過される。この結果、光源の光の光度が肉薄部を透過する際に低減され、やわらかな光として外部へ発散される。また、表面及び裏面の少なくとも一部に図柄が施されているため、図柄部分の少なくとも一部又は図柄部分の周囲を肉薄部とすることによって、光の透過する肉薄部が他の部位と比べて明るくなるため、図柄が浮き上がるような印象を与えることができる。
【０００７】
また、壁部に配置した光源の前面に位置するように取り付けられる壁掛け用の装飾体とした場合には、陶磁器でありながら、光が透過するため、印象度の高い壁部装飾となる。この場合、少なくとも周縁部に凹凸形状の部位を形成することにより、該凹凸形状の部位と壁部との隙間から光が外部に漏れ出るため、装飾体全体が壁部から浮き上がったような印象を与えることができる。
【０００８】
さらに、照明器具のシェードとして用いた場合には、肉薄部を透過するやわらかな光により、趣のある照明とすることができる。しかも、透かし彫りのように開口部を形成するわけではなく、肉薄部を介して光を透過させるため、和紙等を用いる必要が無く、長期使用しても変色や変形が生じにくい。
【考案を実施するための最良の形態】
【０００９】
以下、図面に示した本考案の実施形態に基づき、さらに詳細に説明する。図１は、本考案の一の実施形態に係る陶磁器製装飾体１を示す正面図であり、図２はその背面図である。本実施形態の陶磁器製装飾体１は、壁掛け用の装飾体であり、この図に示したように、正面から見て略方形に形成されている一方、図１〜図３に示したように、全体として、周縁部２よりも中央部３の方が前方に膨らんだ形状に形成されている。また、図１に示したように、本実施形態では、略中央付近を中心として、図柄４が施されている。
【００１０】
中央部３が周縁部２よりも前方に膨らんだ形状に形成されていることにより、図３に示したように、裏面側においてはこの中央付近において壁部との間隔が大きくなり、光源となる電球１０等を配設するスペースとなる。この結果、当該スペースに電球１０をセットすると、図柄４が施されている部位の裏面側に位置することになり、図柄４中に、あるいは図柄４の周囲に肉薄部５を形成することにより、該電球１０の光が透過する。もちろん、図柄４の位置は限定されるものではなく、また、電球１０等の光源の配設位置も限定されるものではなく、必ずしも、本実施形態のように中央部３が前方に膨らんだ形状に形成されている必要はない。
【００１１】
肉薄部５は、上記したように、図柄４中の任意の箇所、あるいは、図柄４の周囲に形成される。通常、図柄４は、その部分を他の部位よりも薄くなるように彫って形成されることから、図柄４を形成するために彫った箇所が肉薄部５となるようにすることが好ましい。また、図柄４を形成するために所定の深さで彫る面は、表面と裏面のいずれであっても良いし、両方から彫るようにしてもよい。また、図４に示したように、肉薄部５の平均厚みｔ２は、他の部位の平均厚みｔ１の１／２〜１／５の範囲となるように形成することが好ましい。電球１０の光が透過するには、所定以下の厚みである必要がある一方、製作時において、例えば、焼成時に割れたり、貫通してしまうことがないような厚さを備えている必要がある。肉薄部５以外の他の部位の平均厚みｔ１は、厚すぎると重量が嵩むため、２〜５ｍｍ程度とすることが好ましく、肉薄部５は、それに応じて上記割合の範囲で選択される。
【００１２】
なお、周縁部２は、凹凸形状に形成することが好ましい。それにより、本実施形態の陶磁器製装飾体１を壁部に取り付けた際に、壁部と該凹凸形状の部位との間に隙間ができるため、電球１０の光が、該隙間を通じて外部に漏れ出る。それにより、本実施形態の陶磁器製装飾体１全体が、壁部から際だつ印象を与える。
【００１３】
本実施形態の陶磁器製装飾体１は、次のように製作される。まず、例えば、杯土を真空土練機にて練り、空気を抜き、素地土を作る。この素地土を、例えば、２．５ｍｍにスライスする。スライスした素地土を所定時間寝かせ、所望の形状に加工する。本実施形態では、中央部３が前方に膨出するように湾曲させると共に、周縁部２に波状の凹凸形状を作る。そして、素焼きの前又は後に、肉厚を薄くするように表面又は裏面から彫りを施し、それにより所望の図柄４を形成していく。すなわち、本実施形態では、肉薄部５を形成することで所望の図柄４を形成しており、肉薄部５は、図柄４と一体になっていることになる。その後は、施釉を行い、所定の温度で本焼きを行う。
【００１４】
このようにして形成された陶磁器製装飾体１は、適宜部位にワイヤ取り付け用の穴を開け、この穴にワイヤ２０を通して、壁部に備え付けられた電球１０の前面を覆うように、該ワイヤ２０を壁部に設けたフック２１に引っかけて飾る（図３参照）。この結果、電球１０の光が肉薄部５を透過し、図柄４が他の部位から浮き上がって見えるような装飾効果を与えることができる。また、本実施形態では、周縁部２に波状の凹凸を備えた形状に形成されているため、その部分からも電球１０の光が漏れ出て、陶磁器製装飾体１全体が壁部から際だって見えることになる。
【００１５】
なお、上記実施形態の陶磁器製装飾体１は、正面から見て略方形に形成しているが、これに限定されるものではないことはもちろんであり、例えば、略円形や楕円形、菱形等の種々の形状で形成することができる。また、上記実施形態では、壁掛け用の装飾体として用いた場合について説明しているが、電球の周囲を覆うシェードとして用いることも可能である。この場合にも、シェード中に形成された肉薄部から光が透過することになり、やわらかな光が外部に発散され、趣のある照明効果を期待できる。また、シェードとして提供するだけでなく、該シェードが電球の周囲に予め取り付けられた照明器具として提供することももちろん可能である。
【図面の簡単な説明】
【００１６】
【図１】図１は、本考案の一の実施形態に係る陶磁器製装飾体を示す正面図である。
【図２】図２は、図１の平面図である。
【図３】図３は、上記陶磁器製装飾体を壁部に取り付けた状態を示す断面図である。
【図４】図４は、図柄と肉薄部の部分を拡大して示した断面図である。
【符号の説明】
【００１７】
１  陶磁器製装飾体
２  周縁部
３  中央部
４  図柄
５  肉薄部
１０  電球
【図１】
0003121389.tif 000003
【図２】
0003121389.tif 000004
【図３】
0003121389.tif 000005
【図４】
0003121389.tif 000006